(57)【要約】【課題】一部の利用側ユニットにおいて冷媒が漏洩した場合に、それまで暖房運転を行っていた他の利用側ユニットまで冷房運転の冷媒サイクルに切り替わる。【解決手段】第１切換ユニット７０ａは、第１運転と第３運転とを切り換える。第１運転では、第１利用側ユニット１２０ａを流れる冷媒が放熱し、第３運転では、第１利用側ユニット１２０ａを流れる冷媒が蒸発する。第２切換ユニット１２０ｂは、第２運転と第４運転とを切り換える。第２運転では、第２利用側ユニット１２０ｂを流れる冷媒が放熱し、第４運転では、第２利用側ユニットを流れる冷媒が蒸発する。制御部２０，７２，１２２は、第１利用側ユニット１２０ａが第１運転を行い第２利用側ユニット１２０ｂが第２運転を行っているときに、第１利用側空間Ｓａへの冷媒の漏洩を検知すると、第１運転を第３運転に切り換え、第２運転は継続させる。【選択図】図１
2020122647.tif 000002
【特許請求の範囲】
【請求項１】
第１利用側ユニット（１２０ａ）と第２利用側ユニット（１２０ｂ）を含む複数の利用側ユニット（１２０）と、
複数の前記利用側ユニットと接続される熱源側ユニット（２）と、
前記第１利用側ユニットを流れる冷媒が放熱する第１運転と、前記第１利用側ユニットを流れる冷媒が蒸発する第３運転と、を切り換える第１切換部（７０ａ）と、
前記第２利用側ユニットを流れる冷媒が放熱する第２運転と、前記第２利用側ユニットを流れる冷媒が蒸発する第４運転と、を切り換える第２切換部（７０ｂ）と、
前記第１利用側ユニットが設置される第１利用側空間（Ｓａ）への冷媒の漏洩を検知する第１冷媒漏洩検知部（６０ａ）と、
前記第１切換部と前記第２切換部とを制御する制御部（２０，７２，１２２）と、
を備え、
前記制御部は、
前記第１利用側ユニットが前記第１運転を行い前記第２利用側ユニットが前記第２運転を行っているときに、前記第１冷媒漏洩検知部が前記第１利用側空間（Ｓａ）への冷媒の漏洩を検知すると、
前記第１運転を前記第３運転に切り換え、
前記第２運転は継続させる、
冷媒サイクル装置（１）。
【請求項２】
前記熱源側ユニット（２）は、圧縮機（２１）と、熱源側熱交換器（２４，２５）と、熱源側膨張機構（２６，２７）と、を有し、
前記制御部（２０，７２，１２２）は、前記第１冷媒漏洩検知部（６０ａ）が前記第１利用側空間（Ｓａ）への冷媒の漏洩を検知すると、前記熱源側膨張機構（２６，２７）における冷媒の減圧度合いを大きくして、前記第１利用側ユニット（１２０ａ）へと流れていく冷媒の圧力を下げる、
請求項１に記載の冷媒サイクル装置（１）。
【請求項３】
前記制御部（２０，７２，１２２）は、
前記第１利用側ユニット（１２０ａ）が前記第１運転を行い前記第２利用側ユニット（１２０ｂ）が前記第２運転を行っているときに、前記第１冷媒漏洩検知部（６０ａ）が前記第１利用側空間（Ｓａ）への冷媒の漏洩を検知すると、
前記第１運転を前記第３運転に切り換え、
前記第２運転は継続させ、
前記第２利用側ユニット（１２０ｂ）を出た冷媒を、前記熱源側ユニット（２）を経由させずに、前記第１利用側ユニット（１２０ａ）に流す、
請求項１又は２に記載の冷媒サイクル装置（１）。
【請求項４】
前記制御部（２０，７２，１２２）は、
前記第１利用側ユニット（１２０ａ）が前記第１運転を行い前記第２利用側ユニット（１２０ｂ）が前記第４運転を行っているときに、前記第１冷媒漏洩検知部（６０ａ）が前記第１利用側空間（Ｓａ）への冷媒の漏洩を検知すると、
前記第１運転を前記第３運転に切り換え、
前記第４運転は継続させる、
請求項１から３のいずれかに記載の冷媒サイクル装置（１）。
【請求項５】
前記熱源側ユニット（２）と前記第１利用側ユニット（１２０ａ）とを遮断可能な第１遮断弁（Ｓｖ１，Ｅｖ１，Ｅｖ２）、
をさらに備え、
前記制御部（２０，７２，１２２）は、前記第１冷媒漏洩検知部（６０ａ）が前記第１利用側空間（Ｓａ）への冷媒の漏洩を検知すると、前記第１運転を前記第３運転に切り換え、その後、前記第１遮断弁を閉止する、
請求項１から４のいずれかに記載の冷媒サイクル装置（１）。
【請求項６】
前記制御部（２０，７２，１２２）は、前記第１冷媒漏洩検知部（６０ａ）が前記第１利用側空間（Ｓａ）への冷媒の漏洩を検知すると、前記第１運転を前記第３運転に切り換え、所定時間経過後、或いは、前記第１利用側ユニットの冷媒の圧力が低下したことに関する所定条件を満たした後、前記第１遮断弁（Ｓｖ１，Ｅｖ１，Ｅｖ２）を閉止する、
請求項５に記載の冷媒サイクル装置（１）。
【請求項７】
前記熱源側ユニット（２）は、高圧の冷媒を流す高圧冷媒配管（２８ｂ）と、低圧の冷媒を流す低圧冷媒配管（２１ｂ）と、前記高圧冷媒配管を流れる冷媒の一部を前記低圧冷媒配管に戻すバイパス配管（４６）と、前記バイパス配管を流れる冷媒の量を調節するバイパス流量調節弁（４７）と、を有し、
前記制御部（２０，７２，１２２）は、前記第１冷媒漏洩検知部（６０ａ）が前記第１利用側空間（Ｓａ）への冷媒の漏洩を検知すると、さらに、前記バイパス流量調節弁（４７）によって前記バイパス配管を流れる冷媒の量を増やす、
請求項１から６のいずれかに記載の冷媒サイクル装置（１）。
【発明の詳細な説明】
【技術分野】
【０００１】
冷媒サイクル装置、特に、熱源側ユニット及び複数の利用側ユニットを備える冷媒サイクル装置に関する。
【背景技術】
【０００２】
冷媒サイクル装置として、従来から、複数の利用側ユニットそれぞれが自由に冷房運転か暖房運転かを選択することが可能な空気調和装置が知られている。この、冷暖フリーとも呼ばれる空気調和装置において、冷媒の漏洩を検知する漏洩検知部を備えるものが、特許文献１（特開２０１３−１７８０７５号公報）に開示されている。
【発明の概要】
【発明が解決しようとする課題】
【０００３】
この特許文献１（特開２０１３−１７８０７５号公報）に開示される空気調和装置では、冷媒の漏洩が検知されたときに、非常時運転を行っている。この非常時運転では、全ての利用側ユニットに、冷房運転と同様の冷媒循環方向で冷媒を流すことによって、利用側ユニットの回路内の冷媒圧力を下げ、冷媒の漏洩の速度を低下させている。
【０００４】
しかし、一部の利用側ユニットにおいて冷媒が漏洩した場合に、それまで暖房運転を行っていた他の利用側ユニットまで強制的に冷房運転の冷媒サイクルに切り替わってしまうので、冷媒が漏洩していない部屋に居る人が寒さを我慢しなければならないといった不具合が生じる。
【課題を解決するための手段】
【０００５】
第１観点の冷媒サイクル装置は、複数の利用側ユニットと、熱源側ユニットと、第１切換部と、第２切換部と、第１冷媒漏洩検知部と、制御部とを備える。複数の利用側ユニットは、第１利用側ユニットと、第２利用側ユニットとを含む。熱源側ユニットは、複数の利用側ユニットと接続される。第１切換部は、第１運転と、第３運転とを切り換える。第１運転は、第１利用側ユニットを流れる冷媒が放熱する運転である。第３運転は、第１利用側ユニットを流れる冷媒が蒸発する運転である。第２切換部は、第２運転と、第４運転とを切り換える。第２運転は、第２利用側ユニットを流れる冷媒が放熱する運転である。第４運転は、第２利用側ユニットを流れる冷媒が蒸発する運転である。第１冷媒漏洩検知部は、第１利用側ユニットが設置される第１利用側空間への冷媒の漏洩を検知する。制御部は、第１切換部と第２切換部とを制御する。制御部は、第１利用側ユニットが第１運転を行い第２利用側ユニットが第２運転を行っているときに、第１冷媒漏洩検知部が第１利用側空間への冷媒の漏洩を検知すると、第１運転を第３運転に切り換え、第２運転は継続させる。
【０００６】
ここでは、第１利用側空間への冷媒の漏洩が検知されたときに、第１利用側ユニットを流れる冷媒が放熱する第１運転を、第１利用側ユニットを流れる冷媒が蒸発する第３運転に切り換える。これにより、第１利用側ユニットを流れる冷媒の圧力が小さくなり、第１利用側空間への冷媒の漏洩の速度が低下する。一方、第２利用側ユニットを流れる冷媒が放熱する運転である第２運転は、第１利用側空間への冷媒の漏洩が検知されたときにも継続される。このため、第２利用側ユニットにおける冷媒の放熱が続き、第２利用側ユニットが設置される空間における加熱作用（例えば、暖房作用）が維持される。
【０００７】
第２観点の冷媒サイクル装置は、第１観点の冷媒サイクル装置であって、熱源側ユニットは、圧縮機と、熱源側熱交換器と、熱源側膨張機構と、を有する。制御部は、第１冷媒漏洩検知部が第１利用側空間への冷媒の漏洩を検知すると、熱源側膨張機構における冷媒の減圧度合いを大きくして、第１利用側ユニットへと流れていく冷媒の圧力を下げる。
【０００８】
ここでは、第１利用側空間への冷媒の漏洩が検知されたときに、熱源側ユニットから第１利用側ユニットへと流れる冷媒の圧力が、熱源側膨張機構によって下げられる。これにより、第１利用側空間への冷媒の漏洩の速度を、早期に低下させることができる。
【０００９】
第３観点の冷媒サイクル装置は、第１観点又は第２観点の冷媒サイクル装置であって、制御部は、第１利用側ユニットが第１運転を行い第２利用側ユニットが第２運転を行っているときに、第１冷媒漏洩検知部が第１利用側空間への冷媒の漏洩を検知すると、第１運転を第３運転に切り換え、第２運転は継続させ、第２利用側ユニットを出た冷媒を、熱源側ユニットを経由させずに第１利用側ユニットに流す。
【００１０】
ここでは、第１利用側空間への冷媒の漏洩が検知されたときに、第１利用側ユニットが第１運転から第３運転に切り換わって冷媒の圧力が低下し、第２利用側ユニットは第２運転が継続されて加熱作用が維持される。そのときに、第２利用側ユニットを出た冷媒は、熱源側ユニットではなく、第１利用側ユニットに流れる。このため、仮に熱源側ユニットにおいて冷媒が蒸発している状態にあるときに第１利用側空間への冷媒の漏洩が検知されたとしても、熱源側ユニットにおける冷媒の状態（蒸発している状態）を切り換えることなく、第１利用側ユニットの運転を第１運転から第３運転に切り換えることができる。
【００１１】
第４観点の冷媒サイクル装置は、第１観点から第３観点のいずれかの冷媒サイクル装置であって、制御部は、第１利用側ユニットが第１運転を行い第２利用側ユニットが第４運転を行っているときに、第１冷媒漏洩検知部が第１利用側空間への冷媒の漏洩を検知すると、第１運転を第３運転に切り換え、第４運転は継続させる。
【００１２】
ここでは、第１利用側空間への冷媒の漏洩が検知されたときに、第１利用側ユニットが第１運転から第３運転に切り換わって冷媒の圧力が低下し、第２利用側ユニットは第４運転が継続されて冷媒が蒸発を続け、第２利用側ユニットにおける冷却作用が維持される。
【００１３】
第５観点の冷媒サイクル装置は、第１観点から第４観点のいずれかの冷媒サイクル装置であって、熱源側ユニットと第１利用側ユニットとを遮断可能な第１遮断弁、をさらに備える。制御部は、第１冷媒漏洩検知部が第１利用側空間への冷媒の漏洩を検知すると、第１運転を第３運転に切り換え、その後、第１遮断弁を閉止する。
【００１４】
ここでは、第１利用側空間への冷媒の漏洩が検知されたときに、第１利用側ユニットを流れる冷媒が放熱する第１運転を、第１利用側ユニットを流れる冷媒が蒸発する第３運転に切り換える。これにより、第１利用側ユニットを流れる冷媒の圧力が小さくなり、第１利用側空間への冷媒の漏洩の速度が低下する。その後、制御部は、第１遮断弁を閉止する。これにより、第１利用側ユニットへの冷媒の流入が遮断され、その後しばらく経つと、第１利用側空間への冷媒の漏洩が続かなくなる。
【００１５】
第６観点の冷媒サイクル装置は、第５観点の冷媒サイクル装置であって、制御部は、第１冷媒漏洩検知部が第１利用側空間への冷媒の漏洩を検知すると、第１運転を第３運転に切り換え、所定時間経過後、或いは、第１利用側ユニットの冷媒の圧力が低下したことに関する所定条件を満たした後、第１遮断弁を閉止する。
【００１６】
ここでは、第１利用側空間への冷媒の漏洩が検知されたときに、第１利用側ユニットを第１運転から第３運転に切り換えた上で、第１利用側ユニットの冷媒の圧力が低下した状態になってから、第１遮断弁が閉止される。これにより、まだ第１利用側ユニットの冷媒の圧力が高い状態で第１遮断弁が閉まって第１利用側ユニットの冷媒の圧力が下がらなくなること、を回避することができる。
【００１７】
第７観点の冷媒サイクル装置は、第１観点から第６観点のいずれかの冷媒サイクル装置であって、熱源側ユニットは、高圧の冷媒を流す高圧冷媒配管と、低圧の冷媒を流す低圧冷媒配管と、バイパス配管と、バイパス流量調節弁とを有している。バイパス配管は、高圧冷媒配管を流れる冷媒の一部を低圧冷媒配管に戻す配管である。バイパス流量調節弁は、バイパス配管を流れる冷媒の量を調節する弁である。制御部は、第１冷媒漏洩検知部が第１利用側空間への冷媒の漏洩を検知すると、さらに、バイパス流量調節弁によってバイパス配管を流れる冷媒の量を増やす。
【００１８】
ここでは、第１利用側空間への冷媒の漏洩が検知されたときに、熱源側ユニットにおいてバイパス配管を流れる冷媒の量が増える。これにより、熱源側ユニットから複数の利用側ユニットへと流れる冷媒の量が減り、第１利用側ユニットを流れる冷媒の圧力が早く小さくなる。
【図面の簡単な説明】
【００１９】
【図１】冷媒サイクル装置の一実施形態としての空気調和装置の概略構成を示す図。
【図２】空気調和装置の熱源側ユニットの概略構成を示す図。
【図３】空気調和装置の利用側ユニット及び切換ユニットの概略構成を示す図。
【図４】冷暖同時運転（蒸発負荷主体）時の冷媒漏洩検知に関する制御フローを示す図。
【図５Ａ】冷暖同時運転（蒸発負荷主体）時の熱源側ユニットにおける冷媒の流れを示す図。
【図５Ｂ】冷暖同時運転（蒸発負荷主体）時に第１利用側ユニットで冷媒漏洩が検知された後、第１利用側ユニットを分離する前の、熱源側ユニットにおける冷媒の流れを示す図。
【図６Ａ】冷暖同時運転（蒸発負荷主体）時の利用側ユニット及び切換ユニットにおける冷媒の流れを示す図。
【図６Ｂ】冷暖同時運転（蒸発負荷主体）時に第１利用側ユニットで冷媒漏洩が検知された後、第１利用側ユニットを分離する前の、利用側ユニット及び切換ユニットにおける冷媒の流れを示す図。
【図７】冷暖同時運転（放熱負荷主体）時の熱源側ユニットにおける冷媒の流れを示す図。
【図８Ａ】冷暖同時運転（放熱負荷主体）時の利用側ユニット及び切換ユニットにおける冷媒の流れを示す図。
【図８Ｂ】冷暖同時運転（放熱負荷主体）時に第１利用側ユニットで冷媒漏洩が検知された後、第１利用側ユニットを分離する前の、利用側ユニット及び切換ユニットにおける冷媒の流れを示す図。
【発明を実施するための形態】
【００２０】
（１）空気調和装置の構成
図１は、冷媒サイクル装置の一実施形態としての空気調和装置１の概略構成図である。冷暖同時運転ができる空気調和装置１は、蒸気圧縮式の冷凍サイクル運転を行うことによって、ビル等の室内の冷暖房を実現する。
【００２１】
空気調和装置１は、主として、１台の熱源側ユニット２と、複数の利用側ユニット１２０（１２０ａ、１２０ｂ、・・・１２０ｐ）と、各利用側ユニット１２０に接続される切換ユニット７０（７０ａ、７０ｂ、・・・７０ｄ）と、切換ユニット７０を介して熱源側ユニット２と利用側ユニット１２０とを接続する冷媒連絡管７、８、９と、を有している。空気調和装置１の蒸気圧縮式の冷媒回路１０は、熱源側ユニット２と、利用側ユニット１２０と、切換ユニット７０と、冷媒連絡管７、８、９とが接続されることによって構成されている。そして、空気調和装置１は、各利用側ユニット１２０が個別に冷房運転又は暖房運転を行うことが可能になっている。空気調和装置１では、暖房運転を行う利用側ユニットから冷房運転を行う利用側ユニットに冷媒を送ることで、利用側ユニット間において熱回収を行うこと（ここでは、冷房運転と暖房運転とを同時に行う冷暖同時運転を行うこと）が可能になる。さらに、空気調和装置１では、上記の熱回収（冷暖同時運転）も考慮した複数の利用側ユニット１２０全体の熱負荷に応じて、熱源側ユニット２の熱負荷をバランスさせるように構成されている。
【００２２】
冷媒回路１０には、冷媒として、Ｒ３２が充填されている。冷媒回路１０から室内（利用側ユニットの設置空間）にＲ３２が漏洩して室内の冷媒濃度が高くなると、冷媒の有する可燃性から、燃焼事故が発生するおそれがある。この燃焼事故を防止することが要求されている。
【００２３】
（１−１）利用側ユニット
利用側ユニット１２０は、ビル等の室内の天井に埋め込みや吊り下げ等、又は、室内の壁面に壁掛け等により設置されている。利用側ユニット１２０は、冷媒連絡管７、８、９及び切換ユニット７０を介して熱源側ユニット２に接続されており、冷媒回路１０の一部を構成している。利用側ユニット１２０と切換ユニット７０とは、冷媒連絡管としての液管ＬＰ及びガス管ＧＰによって接続される。
【００２４】
本実施形態の空気調和装置１では、複数の利用側ユニット１２０、具体的には１６台の利用側ユニット１２０ａ〜１２０ｐが配設されている。
【００２５】
各利用側ユニット１２０内では、図３に示すように、利用側冷媒回路ＲＣ２が構成されている。利用側冷媒回路ＲＣ２においては、利用側流量調節弁５１と、利用側熱交換器５２とが配設されており、これらが冷媒配管によって接続されている。また、各利用側ユニット１２０内には、利用側ファン５３及び利用側制御部１２２（１２２ａ〜１２２ｐ；図１参照）が配設されている。
【００２６】
利用側流量調節弁５１は、開度調整が可能な電動弁である。利用側流量調節弁５１は、その一端が液管ＬＰに接続され、他端が利用側熱交換器５２まで延びる冷媒配管に接続されている。利用側流量調節弁５１は、その開度に応じて、通過する冷媒を減圧（膨張）する。
【００２７】
利用側熱交換器５２は、例えば、クロスフィン型式やマイクロチャネル型式の熱交換器であり、伝熱管（図示省略）を有している。利用側熱交換器５２は、一端に利用側流量調節弁５１から延びる冷媒配管が接続され、他端にガス管ＧＰが接続されている。利用側熱交換器５２に流入した冷媒は、伝熱管を通過する際、利用側ファン５３が生成する空気流と熱交換する。
【００２８】
利用側ファン５３は、例えばクロスフローファンやシロッコファンである。利用側ファン５３が駆動すると、室内空間から利用側ユニット１２０の内部に空気が流入し、利用側熱交換器５２を通過して、室内空間へ空気が戻される。
【００２９】
利用側制御部１２２は、ＣＰＵやメモリ等で構成されるマイクロコンピュータである。利用側制御部１２２には、リモートコントローラ（図示省略）を介して、ユーザの指示が入力される。その指示に応じて、利用側制御部１２２は、利用側ファン５３や利用側流量調節弁５１を駆動させる。また、利用側制御部１２２は、通信線（図１の点線を参照）を介して切換ユニット制御部７２及び熱源側制御部２０と接続されており、信号の送受信を行っている。
【００３０】
また、利用側ユニット１２０には、利用側熱交換器５２の液側における冷媒の温度を検出する液側温度センサが設けられている。
【００３１】
（１−２）熱源側ユニット
熱源側ユニット２は、ビル等の屋上等に設置されており、冷媒連絡管７、８、９を介して利用側ユニット１２０に接続される。熱源側ユニット２は、冷媒回路１０の一部を構成する熱源側冷媒回路１２を有している。熱源側冷媒回路１２は、主として、圧縮機２１と、複数（ここでは、２つ）の熱交換器切換機構２２、２３と、熱源側熱交換器と、冷媒冷却器３６と、熱源側流量調節弁２６、２７と、冷媒冷却側流量調節弁３７と、レシーバ２８と、ブリッジ回路２９と、高低圧切換機構３０と、液側閉鎖弁３１と、高低圧ガス側閉鎖弁３２と、低圧ガス側閉鎖弁３３と、を有している。熱源側熱交換器は、２つの熱源側熱交換器２４、２５と、予冷熱交換器３５と、から成る。熱源側流量調節弁２６、２７は、２つの熱源側熱交換器２４、２５に対応する弁である。冷媒冷却側流量調節弁３７は、予冷熱交換器３５及び冷媒冷却器３６に対応する弁である。
【００３２】
（１−２−１）圧縮機
圧縮機２１は、ここでは、冷媒を圧縮するための機器である。圧縮機２１は、例えば、圧縮機モータ２１ａをインバータ制御することで運転容量を可変することが可能なスクロール型等の容積式圧縮機からなる。
【００３３】
（１−２−２）熱交換器切換機構
第１熱交換器切換機構２２は、熱源側冷媒回路１２内における冷媒の流路を切り換えることが可能な機器である。第１熱交換器切換機構２２は、例えば、四路切換弁からなる。第１熱交換器切換機構２２は、第１熱源側熱交換器２４を冷媒の放熱器として機能させる場合（以下、「放熱運転状態」とする）には、圧縮機２１の吐出側と第１熱源側熱交換器２４のガス側とを接続する（図２の第１熱交換器切換機構２２の実線を参照）。第１熱交換器切換機構２２は、第１熱源側熱交換器２４を冷媒の蒸発器として機能させる場合（以下、「蒸発運転状態」とする）には、圧縮機２１の吸入側と第１熱源側熱交換器２４のガス側とを接続する（図２の第１熱交換器切換機構２２の破線を参照）。
【００３４】
また、第２熱交換器切換機構２３は、熱源側冷媒回路１２内における冷媒の流路を切り換えることが可能な機器である。第２熱交換器切換機構２３は、例えば、四路切換弁からなる。第２熱交換器切換機構２３は、第２熱源側熱交換器２５を冷媒の放熱器として機能させる場合（以下、「放熱運転状態」とする）には、圧縮機２１の吐出側と第２熱源側熱交換器２５のガス側とを接続する（図２の第２熱交換器切換機構２３の実線を参照）。第２熱交換器切換機構２３は、第２熱源側熱交換器２５を冷媒の蒸発器として機能させる場合（以下、「蒸発運転状態」とする）には、圧縮機２１の吸入側と第２熱源側熱交換器２５のガス側とを接続する（図２の第２熱交換器切換機構２３の破線を参照）。
【００３５】
そして、第１熱交換器切換機構２２及び第２熱交換器切換機構２３の切り換え状態を変更することによって、第１熱源側熱交換器２４及び第２熱源側熱交換器２５は、個別に冷媒の蒸発器又は放熱器として機能する。
【００３６】
（１−２−３）熱交換器
第１熱源側熱交換器２４は、冷媒と室外空気との熱交換を行うための機器である。第１熱源側熱交換器２４は、例えば、多数の伝熱管及びフィンによって構成されたフィン・アンド・チューブ型熱交換器からなる。第１熱源側熱交換器２４は、そのガス側が第１熱交換器切換機構２２に接続され、その液側が第１熱源側流量調節弁２６に接続されている。また、第２熱源側熱交換器２５は、冷媒と室外空気との熱交換を行うための機器である。第２熱源側熱交換器２５は、例えば、多数の伝熱管及びフィンによって構成されたフィン・アンド・チューブ型熱交換器からなる。第２熱源側熱交換器２５は、そのガス側が第２熱交換器切換機構２３に接続され、その液側が第２熱源側流量調節弁２７に接続されている。
【００３７】
予冷熱交換器３５は、冷媒と室外空気との熱交換を行うための機器であり、例えば、多数の伝熱管及びフィンによって構成されたフィン・アンド・チューブ型熱交換器からなる。予冷熱交換器３５は、熱源側熱交換器の一部（熱源側熱交換器のうち熱源側熱交換器２４、２５を除いた部分）を構成しており、圧縮機２１から吐出される高圧のガス冷媒を常時流すように熱源側冷媒回路１２に設けられている。具体的には、予冷熱交換器３５は、熱源側熱交換器２４、２５とは異なり、熱交換器切換機構２２、２３のような冷媒の蒸発器又は放熱器として機能させる切り換えを可能にするための機構を介することなく、そのガス側が圧縮機２１の吐出側に接続されている。予冷熱交換器３５は、熱源側熱交換器２４、２５とは異なり、常に冷媒の放熱器として機能するようになっている。
【００３８】
ここでは、第１熱源側熱交換器２４と第２熱源側熱交換器２５と予冷熱交換器３５とが一体の熱源側熱交換器として構成されている。そして、熱源側ユニット２は、ユニット内に室外空気を吸入して、熱交換した後に、ユニット外に排出するための室外ファン３４を有している。したがって、熱源側ユニット２は、室外空気と熱源側熱交換器２４、２５、３５を流れる冷媒とを熱交換させることが可能である。室外ファン３４は、回転数制御が可能な室外ファンモータ３４ａによって駆動される。
【００３９】
（１−２−４）冷媒冷却器
冷媒冷却器３６は、予冷熱交換器３５において放熱した冷媒と電装品２０ａとの熱交換を行うことで電装品２０ａを冷却する機器である。冷媒冷却器３６は、予冷熱交換器３５の液側に接続されている。言い換えると、冷媒冷却器３６は、予冷熱交換器３５の下流側に接続されている。冷媒冷却器３６は、例えば、内部に冷媒流路が形成された金属製の部材を電装品２０ａに接触させることによって構成されている。ここで、電装品２０ａは、熱源側ユニット２を構成する各部を制御するための電気部品であり、後述の熱源側制御部２０を構成している。そして、冷媒冷却器３６によって冷却が必要な電装品２０ａとしては、圧縮機モータ２１ａを制御するためのインバータを構成するパワー素子やリアクタ等の高発熱電気部品が挙げられる。このような高発熱電気部品は、圧縮機２１の運転容量が大きくなるにつれて、発熱量が大きくなる傾向にある。
【００４０】
（１−２−５）流量調節弁
膨張機構としての第１熱源側流量調節弁２６は、第１熱源側熱交換器２４を流れる冷媒の流量の調節等を行うために、第１熱源側熱交換器２４の液側に接続された開度調節が可能な電動膨張弁である。また、膨張機構としての第２熱源側流量調節弁２７は、第２熱源側熱交換器２５を流れる冷媒の流量の調節等を行うために、第２熱源側熱交換器２５の液側に接続された開度調節が可能な電動膨張弁である。言い換えると、熱源側熱交換器２４、２５、３５のうち予冷熱交換器３５を除いた部分である熱源側熱交換器２４、２５の液側に、各熱源側熱交換器２４、２５を流れる冷媒の流量を調節する熱源側流量調節弁２６、２７が接続されている。
【００４１】
冷媒冷却側流量調節弁３７は、予冷熱交換器３５及び冷媒冷却器３６を流れる冷媒の流量の調節等を行うために、冷媒冷却器３６の下流側に接続された開度調節が可能な電動膨張弁である。そして、冷媒冷却側流量調節弁３７は、熱源側熱交換器２４、２５を冷媒の放熱器として機能させる際の熱源側流量調節弁２６、２７の下流側に、かつ、第２熱源側熱交換器２５を冷媒の放熱器として機能させる際の第２熱源側流量調節弁２７の下流側に、冷媒冷却側流量調節弁３７の出口が接続されている。言い換えると、冷媒冷却側流量調節弁３７は、第１熱源側熱交換器２４を冷媒の放熱器として機能させる際の第１熱源側流量調節弁２６の下流側に、かつ、第２熱源側熱交換器２５を冷媒の放熱器として機能させる際の第２熱源側流量調節弁２７の下流側に、冷媒冷却側流量調節弁３７の出口が接続されている。ここでは、冷媒冷却側流量調節弁３７の出口は、レシーバ出口管２８ｂに合流するように接続されている。
【００４２】
（１−２−６）レシーバ
レシーバ２８は、熱源側熱交換器２４、２５と利用側冷媒回路ＲＣ２との間を流れる冷媒を一時的に溜めるための容器である。レシーバ２８の上部には、レシーバ入口管２８ａが設けられており、レシーバ２８の下部には、高圧冷媒が流れる高圧冷媒配管としてのレシーバ出口管２８ｂが設けられている。また、レシーバ入口管２８ａには、開閉制御が可能なレシーバ入口開閉弁２８ｃが設けられている。そして、レシーバ入口管２８ａ及びレシーバ出口管２８ｂは、ブリッジ回路２９を介して、熱源側熱交換器２４、２５と液側閉鎖弁３１との間に接続されている。
【００４３】
また、レシーバ２８には、レシーバガス抜き管４１が接続されている。レシーバガス抜き管４１は、レシーバ入口管２８ａとは別にレシーバ２８の上部から冷媒を抜き出すように設けられており、レシーバ２８の上部と圧縮機２１の吸入側とを接続している。レシーバガス抜き管４１には、レシーバ２８からガス抜きされる冷媒の流量の調節等を行うために、ガス抜き側流量調節弁４２が設けられている。ここで、ガス抜き側流量調節弁４２は、開度調節が可能な電動膨張弁からなる。
【００４４】
（１−２−７）ブリッジ回路
ブリッジ回路２９は、冷媒が熱源側熱交換器２４、２５側から液側閉鎖弁３１側に向かって流れる場合、及び、冷媒が液側閉鎖弁３１側から熱源側熱交換器２４、２５側に向かって流れる場合のいずれにおいても、レシーバ入口管２８ａを通じてレシーバ２８内に冷媒を流入させ、レシーバ出口管２８ｂを通じてレシーバ２８内から冷媒を流出させる。ブリッジ回路２９は、４つの逆止弁２９ａ、２９ｂ、２９ｃ、２９ｄを有している。そして、入口逆止弁２９ａは、熱源側熱交換器２４、２５側からレシーバ入口管２８ａへの冷媒の流通のみを許容する逆止弁である。入口逆止弁２９ｂは、液側閉鎖弁３１側からレシーバ入口管２８ａへの冷媒の流通のみを許容する逆止弁である。入口逆止弁２９ａ、２９ｂは、熱源側熱交換器２４、２５側又は液側閉鎖弁３１側からレシーバ入口管２８ａに冷媒を流通させる機能を有している。出口逆止弁２９ｃは、レシーバ出口管２８ｂから液側閉鎖弁３１側への冷媒の流通のみを許容する逆止弁である。出口逆止弁２９ｄは、レシーバ出口管２８ｂから熱源側熱交換器２４、２５側への冷媒の流通のみを許容する逆止弁である。出口逆止弁２９ｃ、２９ｄは、レシーバ出口管２８ｂから熱源側熱交換器２４、２５側又は液側閉鎖弁３１側に冷媒を流通させる機能を有している。
【００４５】
（１−２−８）吸入戻し管
また、ブリッジ回路２９には、熱源側熱交換器２４、２５の液側を流れる冷媒との熱交換を行う液管熱交換器としての過冷却熱交換器４５が設けられ、熱源側熱交換器２４、２５の液側と利用側熱交換器５２の液側との間を流れる冷媒の一部を圧縮機２１の吸入側の吸入配管２１ｂに戻す吸入戻し管４６が接続されている。吸入戻し管４６は、高圧冷媒を圧縮機２１の吸入側に戻すバイパス配管として機能する。過冷却熱交換器４５は、レシーバ出口管２８ｂに設けられており、吸入戻し管４６を流れる冷媒を冷却源としてレシーバ出口管２８ｂを流れる冷媒（熱源側熱交換器２４、２５の液側と利用側熱交換器５２の液側との間を流れる冷媒）を冷却する冷却器である。ここで、過冷却熱交換器４５は、吸入戻し管４６とレシーバ出口管２８ｂとを接触させることによって構成される配管熱交換器や二重管熱交換器等からなる。吸入戻し管４６は、レシーバ出口管２８ｂから分岐されるように設けられており、過冷却熱交換器４５を介してレシーバ出口管２８ｂと圧縮機２１の吸入側とを接続している。吸入戻し管４６には、レシーバ出口管２８ｂから分岐される冷媒の流量の調節等を行うために、吸入戻し側流量調節弁４７が設けられている。吸入戻し側流量調節弁４７は、吸入戻し管４６の過冷却熱交換器４５の上流側の部分に設けられている。ここで、吸入戻し側流量調節弁４７は、開度調節が可能な電動膨張弁からなる。
【００４６】
（１−２−９）高低圧切換機構
高低圧切換機構３０は、熱源側冷媒回路１２内における冷媒の流路を切り換えることが可能な機器である。高低圧切換機構３０は、例えば、四路切換弁からなる。高低圧切換機構３０は、圧縮機２１から吐出された高圧のガス冷媒を利用側冷媒回路ＲＣ２に送る場合（以下、「放熱負荷運転状態」とする）には、圧縮機２１の吐出側と高低圧ガス側閉鎖弁３２とを接続する（図２の高低圧切換機構３０の破線を参照）。高低圧切換機構３０は、圧縮機２１から吐出された高圧のガス冷媒を利用側冷媒回路ＲＣ２に直接は送らない場合（以下、「蒸発負荷運転状態」とする）には、高低圧ガス側閉鎖弁３２と圧縮機２１の吸入側とを接続する（図２の高低圧切換機構３０の実線を参照）。
【００４７】
（１−２−１０）閉鎖弁
液側閉鎖弁３１、高低圧ガス側閉鎖弁３２、及び低圧ガス側閉鎖弁３３は、外部の機器・配管（具体的には、冷媒連絡管７、８及び９）との接続口に設けられた弁である。液側閉鎖弁３１は、ブリッジ回路２９を介してレシーバ入口管２８ａ又はレシーバ出口管２８ｂに接続されている。高低圧ガス側閉鎖弁３２は、高低圧切換機構３０に接続される。低圧ガス側閉鎖弁３３は、圧縮機２１の吸入側に接続されている。
【００４８】
（１−２−１１）センサ及び熱源側制御部
また、熱源側ユニット２には、各種のセンサが設けられている。具体的には、圧縮機２１の吸入側における冷媒の圧力を検出する吸入圧力センサ９１と、圧縮機２１の吐出側における冷媒の圧力を検出する吐出圧力センサ９３と、レシーバガス抜き管４１を流れる冷媒の温度を検出するガス抜き側温度センサ９５と、吸入戻し管４６を流れる冷媒の温度を検出する吸入戻し側温度センサ９７とが設けられている。ここでは、ガス抜き側温度センサ９５は、冷媒加熱器４４の出口における冷媒の温度を検出するように、レシーバガス抜き管４１に設けられている。吸入戻し側温度センサ９７は、過冷却熱交換器４５の出口における冷媒の温度を検出するように、吸入戻し管４６に設けられている。また、熱源側ユニット２は、熱源側ユニット２を構成する各部２１ａ、２２、２３、２６、２７、２８ｃ、３０、３４ａ、３７、４２、４７の動作を制御する熱源側制御部２０を有している（図１参照）。そして、熱源側制御部２０は、熱源側ユニット２の制御を行うために設けられたマイクロコンピュータやメモリを有しており、切換ユニット制御部７２ａ、７２ｂ、・・・７２ｐを介して、利用側ユニット１２０の利用側制御部１２２ａ、１２２ｂ、・・・１２２ｐとの間で制御信号等のやりとりを行うことができるようになっている。
【００４９】
（１−３）切換ユニット
切換ユニット７０（７０ａ、７０ｂ、・・・７０ｐ）は、ビル等の室内の近傍、例えば天井裏に、利用側ユニット１２０とともに設置されている。切換ユニット７０は、冷媒連絡管７，８，９とともに、利用側ユニット１２０と熱源側ユニット２との間に介在しており、冷媒回路１０の一部を構成している。切換ユニット７０は、熱源側ユニット２及び各利用側ユニット１２０へ流入する冷媒の流れを切り換える。各切換ユニット７０は、利用側ユニット１２０のいずれかに対応している。例えば、切換ユニット７０ａは利用側ユニット１２０ａに対応し、切換ユニット７０ｂは利用側ユニット１２０ｂに対応し、切換ユニット７０ｐは利用側ユニット１２０ｐに対応している。
【００５０】
また、図１に示す切換ユニット制御部７２は、ＣＰＵやメモリ等で構成されるマイクロコンピュータである。切換ユニット制御部７２は、通信線を介して利用側制御部１２２又は熱源側制御部２０からの信号を受信し、当該信号に応じて、後述する第１電動弁Ｅｖ１、第２電動弁Ｅｖ２及び第３電動弁Ｅｖ３の開度を制御する。
【００５１】
各切換ユニット７０（７０ａ、７０ｂ、・・・７０ｐ）は、図３に示すように、同様の構成である。切換ユニット７０は、冷媒配管としての第１配管Ｐ１、第２配管Ｐ２、第３配管Ｐ３、第５配管Ｐ５、第６配管Ｐ６、第７配管Ｐ７、第８配管Ｐ８、第９配管Ｐ９及び第１０配管Ｐ１０と、第１電動弁Ｅｖ１と、第２電動弁Ｅｖ２と、第３電動弁Ｅｖ３と、過冷却熱交換部５９と、を備えている。
【００５２】
過冷却熱交換部５９は、例えば二重管型熱交換器である。過冷却熱交換部５９は、略筒状の形状を呈している。過冷却熱交換部５９の内部には、第１流路５９１及び第２流路５９２が形成されている。より詳細には、過冷却熱交換部５９は、第１流路５９１を流れる冷媒と、第２流路５９２を流れる冷媒と、が熱交換し得る構造を有している。具体的に、第１流路５９１は、一端が第１配管Ｐ１に接続され、他端が第２配管Ｐ２に接続されている。第２流路５９２は、一端が第８配管Ｐ８に接続され、他端が第９配管Ｐ９に接続されている。
【００５３】
第１配管Ｐ１は、一端が液冷媒連絡管７に接続され、他端が過冷却熱交換部５９の第１流路５９１に接続されている。
【００５４】
第２配管Ｐ２は、一端が過冷却熱交換部５９の第１流路５９１に接続され、他端が液管ＬＰを介して利用側冷媒回路ＲＣ２に接続されている。この第２配管Ｐ２には、開状態と閉状態とが切り換わる電磁弁Ｓｖ１が設けられている。
【００５５】
第３電動弁Ｅｖ３は、例えば開度調整が可能な電動弁である。第３電動弁Ｅｖ３は、開度に応じて、冷媒の流量を調整することが可能であり、また、冷媒を通過させたり遮断したりすることで冷媒の流れを切り換えられる。
【００５６】
第８配管Ｐ８は、一端が第５配管Ｐ５を介して低圧ガス冷媒連絡管９に接続され、他端が過冷却熱交換部５９の第２流路５９２に接続されている。
【００５７】
第９配管Ｐ９は、一端が過冷却熱交換部５９の第２流路５９２に接続され、他端が第３電動弁Ｅｖ３に接続されている。
【００５８】
第１０配管Ｐ１０は、一端が第３電動弁Ｅｖ３に接続され、他端が第１配管Ｐ１に接続されている。
【００５９】
第１電動弁Ｅｖ１は、例えば開度調整が可能な電動弁であり、開度に応じて冷媒を通過させたり遮断したりすることで冷媒の流れを切り換える。第１電動弁Ｅｖ１は、一端が第３配管Ｐ３に接続され、他端が第５配管Ｐ５に接続されている。
【００６０】
第３配管Ｐ３は、一端がガス管ＧＰを介して利用側冷媒回路ＲＣ２に接続され、他端が第１電動弁Ｅｖ１に接続されている。
【００６１】
第５配管Ｐ５は、一端が低圧ガス冷媒連絡管９に接続され、他端が第１電動弁Ｅｖ１に接続されている。
【００６２】
第２電動弁Ｅｖ２は、例えば開度調整が可能な電動弁であり、開度に応じて冷媒を通過させたり遮断したりすることで冷媒の流れを切り換える。また、第２電動弁Ｅｖ２は、一端が第６配管Ｐ６に接続され、他端が第７配管Ｐ７に接続されている。
【００６３】
第６配管Ｐ６は、一端が第３配管Ｐ３に接続され、他端が第２電動弁Ｅｖ２に接続されている。
【００６４】
第７配管Ｐ７は、一端が第２電動弁Ｅｖ２に接続され、他端が高低圧ガス冷媒連絡管８に接続されている。
【００６５】
次に、切換ユニット７０ａ、７０ｂを例にとって、対応する利用側ユニット１２０ａ、１２０ｂにおける運転の切り換わりを説明する。以下、切換ユニット７０ａを、第１切換ユニット７０ａと呼び、切換ユニット７０ｂを、第２切換ユニット７０ｂと呼び、利用側ユニット１２０ａを、第１利用側ユニット１２０ａと呼び、利用側ユニット１２０ｂを、第２利用側ユニット１２０ｂと呼ぶ。
【００６６】
第１切換ユニット７０ａは、第１運転と、第３運転とを切り換えることができる。第１運転は、いわゆる暖房運転であり、第１利用側ユニット１２０ａを流れる冷媒が利用側熱交換器５２において放熱する運転である。第３運転は、いわゆる冷房運転であり、第１利用側ユニット１２０ａを流れる冷媒が利用側熱交換器５２において蒸発する運転である。第１運転では、第１切換ユニット７０ａにおいて、第１電動弁Ｅｖ１が全閉とされるともに、第２電動弁Ｅｖ２が全開とされて、第１利用側ユニット１２０ａを流れる冷媒がガス管ＧＰから液管ＬＰに向かって流れ、冷媒が利用側熱交換器５２において放熱する。これにより、第１利用側ユニット１２０ａが設置される室内が暖房される。第３運転では、第１切換ユニット７０ａにおいて、第１電動弁Ｅｖ１が全開とされるともに、第２電動弁Ｅｖ２が最小開度とされて、第１利用側ユニット１２０ａを流れる冷媒が液管ＬＰからガス管ＧＰに向かって流れ、冷媒が利用側熱交換器５２において蒸発する。これにより、第１利用側ユニット１２０ａが設置される室内が冷房される。
【００６７】
第２切換ユニット７０ｂは、第２運転と、第４運転とを切り換えることができる。第２運転は、いわゆる暖房運転であり、第２利用側ユニット１２０ｂを流れる冷媒が利用側熱交換器５２において放熱する運転である。第４運転は、いわゆる冷房運転であり、第２利用側ユニット１２０ｂを流れる冷媒が利用側熱交換器５２において蒸発する運転である。第２運転では、第２切換ユニット７０ｂにおいて、第１電動弁Ｅｖ１が全閉とされるともに、第２電動弁Ｅｖ２が全開とされて、第２利用側ユニット１２０ｂを流れる冷媒がガス管ＧＰから液管ＬＰに向かって流れ、冷媒が利用側熱交換器５２において放熱する。これにより、第２利用側ユニット１２０ｂが設置される室内が暖房される。第４運転では、第２切換ユニット７０ｂにおいて、第１電動弁Ｅｖ１が全開とされるともに、第２電動弁Ｅｖ２が最小開度とされて、第２利用側ユニット１２０ｂを流れる冷媒が液管ＬＰからガス管ＧＰに向かって流れ、冷媒が利用側熱交換器５２において蒸発する。これにより、第２利用側ユニット１２０ｂが設置される室内が冷房される。
【００６８】
（１−４）冷媒漏洩検知部
各利用側ユニット１２０の中には、その利用側ユニット１２０が設置される空間（利用側空間）への冷媒の漏洩を検知する冷媒漏洩検知部６０（６０ａ、６０ｂ、・・・６０ｐ）が配置されている。冷媒漏洩検知部６０は、例えば、半導体式ガスセンサや、利用側ユニット１２０内の冷媒配管の冷媒圧力の急激な低下を検知する検知部を採用することができる。半導体式ガスセンサを用いる場合は、半導体式ガスセンサを利用側制御部１２２と接続する。冷媒圧力の急激な低下を検知する検知部を採用する場合は、冷媒配管に圧力センサを設置し、そのセンサ値の変化から冷媒漏洩を判断する検知アルゴリズムを、利用側制御部１２２内に具備させる。
【００６９】
なお、ここでは、冷媒漏洩検知部６０が各利用側ユニット１２０に設けられているが、これに限定されるものではなく、利用側ユニット１２０を操作するためのリモコンや利用側ユニット１２０が空調を行う室内空間に設けられていてもよい。
【００７０】
（２）空気調和装置の基本動作
次に、空気調和装置１の動作について説明する。
【００７１】
空気調和装置１の冷凍サイクル運転としては、冷房運転と、暖房運転と、冷暖同時運転（蒸発負荷主体）と、冷暖同時運転（放熱負荷主体）とがある。ここで、冷房運転は、冷房運転（利用側熱交換器５２が冷媒の蒸発器として機能する運転）を行う利用側ユニット１２０だけが存在し、利用側ユニット１２０全体の蒸発負荷に対して熱源側熱交換器２４、２５を冷媒の放熱器として機能させる運転である。暖房運転は、暖房運転（利用側熱交換器５２が冷媒の放熱器として機能する運転）を行う利用側ユニット１２０だけが存在し、利用側ユニット１２０全体の放熱負荷に対して熱源側熱交換器２４、２５を冷媒の蒸発器として機能させる運転である。冷暖同時運転（蒸発負荷主体）は、冷房運転（利用側熱交換器５２が冷媒の蒸発器として機能する運転）を行う利用側ユニット１２０と暖房運転（利用側熱交換器５２が冷媒の放熱器として機能する運転）を行う利用側ユニット１２０とが混在し、利用側ユニット１２０全体の熱負荷が蒸発負荷主体である場合に、この利用側ユニット１２０全体の蒸発負荷に対して熱源側熱交換器２４、２５を冷媒の放熱器として機能させる運転である。冷暖同時運転（放熱負荷主体）は、冷房運転（利用側熱交換器５２が冷媒の蒸発器として機能する運転）を行う利用側ユニット１２０と暖房運転（利用側熱交換器５２が冷媒の放熱器として機能する運転）を行う利用側ユニット１２０とが混在し、利用側ユニット１２０全体の熱負荷が放熱負荷主体である場合に、この利用側ユニット１２０全体の放熱負荷に対して熱源側熱交換器２４、２５を冷媒の蒸発器として機能させる運転である。
【００７２】
なお、これらの冷凍サイクル運転を含む空気調和装置１の動作は、上記の制御部２０、７２、１２２によって行われる。
【００７３】
（２−１）冷房運転
冷房運転の際、例えば、利用側ユニット１２０の全てが冷房運転（利用側熱交換器５２の全てが冷媒の蒸発器として機能する運転）を行い、熱源側熱交換器２４、２５が冷媒の放熱器として機能する際、空気調和装置１の各アクチュエータ（切換機構や弁）が以下のように制御され、冷媒回路１０を冷媒が以下のように流れる。
【００７４】
まず、熱源側ユニット２においては、第１熱交換器切換機構２２を放熱運転状態に切り換え、第２熱交換器切換機構２３を放熱運転状態に切り換えることによって、熱源側熱交換器２４、２５を冷媒の放熱器として機能させるようになっている。また、高低圧切換機構３０を蒸発負荷運転状態に切り換えている。また、熱源側流量調節弁２６、２７は、開度調節され、レシーバ入口開閉弁２８ｃは、開状態になっている。また、冷媒冷却側流量調節弁３７は、開度調節されて、予冷熱交換器３５に圧縮機２１から吐出される高圧のガス冷媒が流れるようになっている。また、吸入戻し側流量調節弁４７は、開度調節されて、過冷却熱交換器４５がレシーバ出口管２８ｂを流れる冷媒の冷却器として機能するようになっている。さらに、ここでは、冷媒の放熱器として機能する利用側熱交換器が存在しない運転であるため、ガス抜き側流量調節弁４２は、全閉状態（開度０％）に開度調節されている。これにより、レシーバガス抜き管４１を通じてレシーバ２８から圧縮機２１の吸入側に、ガス冷媒を抜き出さないようにしている。切換ユニット７０においては、第１電動弁Ｅｖ１は全開とされ、第２電動弁Ｅｖ２は最小開度とされる。また、利用側ユニット１２０の各利用側流量調節弁５１は適切な開度で開けられる。これにより、利用側ユニット１２０の利用側熱交換器５２の全てを冷媒の蒸発器として機能させるとともに、利用側ユニット１２０の利用側熱交換器５２の全てと熱源側ユニット２の圧縮機２１の吸入側とが高低圧ガス冷媒連絡管８及び低圧ガス冷媒連絡管９を介して接続された状態になる。
【００７５】
このような冷媒回路１０において、圧縮機２１で圧縮され吐出された高圧のガス冷媒は、熱交換器切換機構２２、２３を通じて、熱源側熱交換器２４、２５に送られる。また、圧縮機２１で圧縮され吐出された高圧のガス冷媒は、冷媒加熱器４４を介して、予冷熱交換器３５にも送られる。そして、熱源側熱交換器２４、２５に送られた高圧のガス冷媒は、熱源側熱交換器２４、２５において、室外ファン３４によって供給される熱源としての室外空気と熱交換を行うことによって放熱する。そして、熱源側熱交換器２４、２５において放熱した冷媒は、熱源側流量調節弁２６、２７において流量調節された後、合流して、入口逆止弁２９ａ及びレシーバ入口開閉弁２８ｃを通じて、レシーバ２８に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。そして、レシーバ２８に送られた冷媒は、レシーバ２８内に一時的に溜められた後、レシーバ出口管２８ｂに送られ、その一部が吸入戻し管４６に分岐され、その後、冷媒冷却器３６を通過した冷媒と合流して過冷却熱交換器４５に送られる。過冷却熱交換器４５に送られたレシーバ出口管２８ｂを流れる冷媒は、吸入戻し管４６の吸入戻し側流量調節弁４７において流量調節された冷媒によって冷却される。過冷却熱交換器４５において冷却されたレシーバ出口管２８ｂを流れる冷媒は、出口逆止弁２９ｃ及び液側閉鎖弁３１を通じて、液冷媒連絡管７に送られる。一方、過冷却熱交換器４５で熱交換を行った後の吸入戻し管４６を流れる冷媒は、圧縮機２１の吸入側に戻される。
【００７６】
そして、液冷媒連絡管７に送られた冷媒は、分岐されて、各切換ユニット７０の第１配管Ｐ１に送られる。第１配管Ｐ１へ流入した冷媒は、第２配管Ｐ２や液管ＬＰ等を経て、利用側ユニット１２０に到達し、利用側流量調節弁５１に流入して減圧される。減圧された冷媒は、各利用側熱交換器５２に流入して蒸発する。これにより、利用側ユニット１２０の冷房運転が行われる。蒸発した冷媒は、ガス管ＧＰを経て、各切換ユニット７０の第３配管Ｐ３に流入する。第３配管Ｐ３に流入した冷媒は、第５配管Ｐ５を流れ、低圧ガス冷媒連絡管９に送られて合流する。低圧ガス冷媒連絡管９に送られた低圧のガス冷媒は、圧縮機２１の吸入側に戻される。
【００７７】
（２−２）暖房運転
暖房運転の際、例えば、利用側ユニット１２０の全てが暖房運転（利用側熱交換器５２の全てが冷媒の放熱器として機能する運転）を行い、熱源側熱交換器２４、２５が冷媒の蒸発器として機能する際、空気調和装置１の各アクチュエータ（切換機構や弁）が以下のように制御され、冷媒回路１０を冷媒が以下のように流れる。
【００７８】
まず、熱源側ユニット２においては、第１熱交換器切換機構２２を蒸発運転状態に切り換え、第２熱交換器切換機構２３を蒸発運転状態に切り換えることによって、熱源側熱交換器２４、２５を冷媒の蒸発器として機能させるようになっている。また、高低圧切換機構３０を放熱負荷運転状態に切り換えている。また、熱源側流量調節弁２６、２７は、開度調節され、レシーバ入口開閉弁２８ｃは、開状態になっている。また、冷媒冷却側流量調節弁３７は、開度調節されて、予冷熱交換器３５に圧縮機２１から吐出される高圧のガス冷媒が流れるようになっている。また、吸入戻し側流量調節弁４７は、開度調節されて、過冷却熱交換器４５がレシーバ出口管２８ｂを流れる冷媒の冷却器として機能するようになっている。さらに、ここでは、冷媒の放熱器として機能する利用側熱交換器５２が存在する運転であるため、ガス抜き側流量調節弁４２は、利用側流量調節弁５１の制御状況に応じて開度調節されて、レシーバガス抜き管４１を通じてレシーバ２８からガス冷媒を圧縮機２１の吸入側に抜き出すようになっている。切換ユニット７０においては、第１電動弁Ｅｖ１は全閉とされ、第２電動弁Ｅｖ２は全開とされる。これによって、利用側ユニット１２０の利用側熱交換器５２の全てが冷媒の放熱器として機能するとともに、利用側ユニット１２０の利用側熱交換器５２の全てと熱源側ユニット２の圧縮機２１の吐出側とが高低圧ガス冷媒連絡管８を介して接続された状態になる。利用側ユニット１２０においては、利用側流量調節弁５１は、利用側熱交換器５２の出口における冷媒の過冷却度ＳＣに基づいて開度を制御する過冷却度制御によって、開度調節されている。
【００７９】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。また、圧縮機２１で圧縮され吐出された高圧のガス冷媒は、冷媒加熱器４４にも送られる。ここで、ガス抜き側流量調節弁４２が開状態に開度調節されている場合には、レシーバガス抜き管４１を通じてレシーバ２８からガス冷媒が抜き出されるため、冷媒加熱器４４に送られた高圧のガス冷媒は、レシーバガス抜き管４１を流れる冷媒と熱交換を行うことによって冷却される。一方、レシーバガス抜き管４１を流れるガス冷媒は、加熱されて、圧縮機２１の吸入側に戻される。そして、冷媒加熱器４４において冷却された冷媒は、予冷熱交換器３５に送られる。予冷熱交換器３５に送られた高圧の冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。
【００８０】
一方、高低圧ガス冷媒連絡管８に送られた高圧のガス冷媒は、分岐されて、各切換ユニット７０の第７配管Ｐ７に流入し、第６配管Ｐ６及び第３配管Ｐ３等を流れて、ガス管ＧＰに流入する。ガス管ＧＰに流入した冷媒は、利用側ユニット１２０に到達し、各利用側熱交換器５２に流入して放熱する。これにより、利用側ユニット１２０の暖房運転が行われる。放熱して凝縮した冷媒は、液管ＬＰを経て、各切換ユニット７０の第２配管Ｐ２に流入する。第２配管Ｐ２に流入した冷媒は、第１配管Ｐ１等を経て、液冷媒連絡管７に送られて合流する。
【００８１】
そして、液冷媒連絡管７に送られた冷媒は、液側閉鎖弁３１、入口逆止弁２９ｂ及びレシーバ入口開閉弁２８ｃを通じて、レシーバ２８に送られる。ここで、ガス抜き側流量調節弁４２が開状態に開度調節されている場合には、レシーバ２８に送られた冷媒は、レシーバ２８内に一時的に溜められて気液分離された後、ガス冷媒は、レシーバガス抜き管４１を通じて圧縮機２１の吸入側に抜き出され、液冷媒は、レシーバ出口管２８ｂに送られる。レシーバ出口管２８ｂに送られた冷媒は、その一部が吸入戻し管４６に分岐され、その後、冷媒冷却器３６を通過した冷媒と合流して過冷却熱交換器４５に送られる。過冷却熱交換器４５に送られたレシーバ出口管２８ｂを流れる冷媒は、吸入戻し管４６の吸入戻し側流量調節弁４７において流量調節された冷媒によって冷却される。過冷却熱交換器４５において冷却されたレシーバ出口管２８ｂを流れる冷媒は、出口逆止弁２９ｄを通じて、熱源側流量調節弁２６、２７の両方に送られる。そして、熱源側流量調節弁２６、２７に送られた冷媒は、熱源側流量調節弁２６、２７において流量調節された後、熱源側熱交換器２４、２５において、室外ファン３４によって供給される室外空気と熱交換を行うことによって蒸発して低圧のガス冷媒になり、熱交換器切換機構２２、２３に送られる。そして、熱交換器切換機構２２、２３に送られた低圧のガス冷媒は、合流して、圧縮機２１の吸入側に戻される。
【００８２】
（２−３）冷暖同時運転（蒸発負荷主体）
冷暖同時運転（蒸発負荷主体）の際、例えば、利用側ユニット１２０ｂ、１２０ｐが冷房運転し、利用側ユニット１２０ａが暖房運転し、他の利用側ユニット１２０が停止し、第１熱源側熱交換器２４が冷媒の放熱器として機能する際、空気調和装置１の各アクチュエータ（切換機構や弁）が以下のように制御され、冷媒回路１０を冷媒が以下のように流れる。
【００８３】
まず、熱源側ユニット２においては、第１熱交換器切換機構２２を放熱運転状態に切り換えることによって、第１熱源側熱交換器２４だけを冷媒の放熱器として機能させるようになっている。また、高低圧切換機構３０を放熱負荷運転状態に切り換えている。また、第１熱源側流量調節弁２６は、開度調節され、第２熱源側流量調節弁２７は、閉状態になっており、レシーバ入口開閉弁２８ｃは、開状態になっている。さらに、ここでは、冷媒の放熱器として機能する利用側熱交換器５２が存在する運転であるため、ガス抜き側流量調節弁４２は、利用側流量調節弁５１の制御状況に応じて開度調節されるのであるが、液冷媒連絡管７を介して利用側ユニット１２０から熱源側ユニット２に冷媒が送られる運転状態ではないため、結果的に、全閉状態（開度０％）に開度調節されている。これにより、レシーバガス抜き管４１を通じてレシーバ２８から圧縮機２１の吸入側に、ガス冷媒を抜き出さないようにしている。
【００８４】
冷房運転を行っている利用側ユニット１２０ｂ、１２０ｐに対応する切換ユニット７０ｂ、７０ｐにおいては、第１電動弁Ｅｖ１が全開とされるとともに、第２電動弁Ｅｖ２が最小開度とされ、第３電動弁Ｅｖ３が適切な開度で開けられる。また、冷房運転を行っている利用側ユニット１２０ｂ、１２０ｐでは、利用側流量調節弁５１が適切な開度で開けられる。
【００８５】
暖房運転を行っている利用側ユニット１２０ａに対応する切換ユニット７０ａにおいては、第１電動弁Ｅｖ１が全閉とされるともに、第２電動弁Ｅｖ２が全開とされる。また、暖房運転を行っている利用側ユニット１２０ａでは、利用側流量調節弁５１が全開とされる。
【００８６】
これにより、利用側ユニット１２０ａの利用側熱交換器５２が冷媒の放熱器として機能する。また、利用側ユニット１２０ｂ、１２０ｐの利用側熱交換器５２と熱源側ユニット２の圧縮機２１の吸入側とが低圧ガス冷媒連絡管９を介して接続された状態になり、かつ、利用側ユニット１２０ｂ、１２０ｐの利用側熱交換器５２と熱源側ユニット２の圧縮機２１の吐出側とが高低圧ガス冷媒連絡管８を介して接続された状態になっている。冷房運転を行う利用側ユニット１２０ｂ、１２０ｐにおいては、利用側流量調節弁５１は、開度調節される。暖房運転を行う利用側ユニット１２０ａにおいては、利用側流量調節弁５１は、利用側熱交換器５２の出口における冷媒の過冷却度ＳＣに基づいて開度を制御する過冷却度制御によって、開度調節されている。
【００８７】
このような冷媒回路１０において、圧縮機２１で圧縮され吐出された高圧のガス冷媒は、その一部が、高低圧切換機構３０及び高低圧ガス側閉鎖弁３２を通じて、高低圧ガス冷媒連絡管８に送られ、残りが、第１熱交換器切換機構２２を通じて、第１熱源側熱交換器２４に送られる。また、圧縮機２１で圧縮され吐出された高圧のガス冷媒は、冷媒加熱器４４を介して、予冷熱交換器３５にも送られる。
【００８８】
そして、高低圧ガス冷媒連絡管８に送られた高圧のガス冷媒は、切換ユニット７０ａの第７配管Ｐ７に送られる。第７配管Ｐ７に送られた高圧のガス冷媒は、第６配管Ｐ６及び第３配管Ｐ３を流れて、ガス管ＧＰに流入する。ガス管ＧＰに流入した冷媒は、利用側ユニット１２０ａに到達し、利用側熱交換器５２に流入して凝縮する。これにより、利用側ユニット１２０ａの暖房運転が行われる。凝縮した冷媒は、液管ＬＰを経て、切換ユニット７０ａの第２配管Ｐ２に流入する。第２配管Ｐ２に流入した冷媒は、第１配管Ｐ１等を経て、切換ユニット７０ａを流れ出る。
【００８９】
一方、第１熱源側熱交換器２４に送られた高圧のガス冷媒は、第１熱源側熱交換器２４において、室外ファン３４によって供給される熱源としての室外空気と熱交換を行うことによって放熱する。そして、第１熱源側熱交換器２４において放熱した冷媒は、第１熱源側流量調節弁２６において流量調節された後、入口逆止弁２９ａ及びレシーバ入口開閉弁２８ｃを通じて、レシーバ２８に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ２８に送られる。そして、レシーバ２８に送られた冷媒は、レシーバ２８内に一時的に溜められた後、レシーバ出口管２８ｂに送られ、その一部が吸入戻し管４６に分岐され、その後、冷媒冷却器３６を通過した冷媒と合流して過冷却熱交換器４５に送られる。過冷却熱交換器４５に送られたレシーバ出口管２８ｂを流れる冷媒は、吸入戻し管４６の吸入戻し側流量調節弁４７において流量調節された冷媒によって冷却される。過冷却熱交換器４５において冷却されたレシーバ出口管２８ｂを流れる冷媒は、出口逆止弁２９ｃ及び液側閉鎖弁３１を通じて、液冷媒連絡管７に送られる。一方、過冷却熱交換器４５で熱交換を行った後の吸入戻し管４６を流れる冷媒は、圧縮機２１の吸入側に戻される。
【００９０】
そして、利用側ユニット１２０ａにおいて放熱して切換ユニット７０ａを流れ出た冷媒は、液冷媒連絡管７に送られる。その後、切換ユニット７０ａを流れ出た冷媒と、第１熱源側熱交換器２４において放熱して液冷媒連絡管７に送られた冷媒とが、合流する。
【００９１】
そして、液冷媒連絡管７において合流した冷媒は、分岐されて、各切換ユニット７０ｂ、７０ｐの第１配管Ｐ１に送られる。第１配管Ｐ１に流入した冷媒は、過冷却熱交換部５９の第１流路５９１を通過し、第２配管Ｐ２及び液管ＬＰを経て、利用側ユニット１２０ｂ、１２０ｐに到達する。
【００９２】
利用側ユニット１２０ｂ、１２０ｐに到達した冷媒は、利用側流量調節弁５１に流入して減圧される。減圧された冷媒は、利用側熱交換器５２に流入して蒸発する。これにより、利用側ユニット１２０ｂ、１２０ｐの冷房運転が行われる。蒸発した冷媒は、ガス管ＧＰを経て、切換ユニット７０ｂ、７０ｐに到達して、第３配管Ｐ３に流入する。第３配管Ｐ３に流入した冷媒は、第５配管Ｐ５を流れて低圧ガス冷媒連絡管９に送られる。
【００９３】
また、各切換ユニット７０ｂ、７０ｐの第１配管Ｐ１に流入した冷媒の一部は、第１０配管Ｐ１０に流入する。第１０配管Ｐ１０に流入した冷媒は、第３電動弁Ｅｖ３及び第９配管Ｐ９を経て、過冷却熱交換部５９の第２流路５９２に流入する。第２流路５９２に流入した冷媒は、第２流路５９２を通過する際、第１流路５９１を通過する冷媒と熱交換を行い、第１流路５９１を通過する冷媒を冷却する。これにより、第１流路５９１から利用側ユニット１２０ｂ、１２０ｐへと流れていく冷媒は、過冷却がついた状態となる。第２流路５９２を通過した冷媒は、第８配管Ｐ８及び第５配管Ｐ５を経て、低圧ガス冷媒連絡管９に流れる。
【００９４】
そして、低圧ガス冷媒連絡管９に送られた低圧のガス冷媒は、低圧ガス側閉鎖弁３３を通じて、圧縮機２１の吸入側に戻される。
【００９５】
このようにして、冷暖同時運転（蒸発負荷主体）における動作が行われる。なお、冷房運転を行う利用側ユニット１２０の数が少なくなる等によって、利用側熱交換器５２全体の蒸発負荷が小さくなる場合には、第２熱源側熱交換器２５を冷媒の蒸発器として機能させることで、第１熱源側熱交換器２４の放熱負荷と第２熱源側熱交換器２５との蒸発負荷とを相殺して熱源側熱交換器２４、２５全体の放熱負荷を小さくする運転が行われる。
【００９６】
（２−４）冷暖同時運転（放熱負荷主体）
冷暖同時運転（放熱負荷主体）の際、例えば、利用側ユニット１２０ａ、１２０ｂが暖房運転し、かつ、利用側ユニット１２０ｐが冷房運転し、他の利用側ユニット１２０が停止し、第１熱源側熱交換器２４だけが冷媒の蒸発器として機能する際、空気調和装置１の各アクチュエータ（切換機構や弁）が以下のように制御され、冷媒回路１０を冷媒が以下のように流れる。
【００９７】
まず、熱源側ユニット２においては、第１熱交換器切換機構２２を蒸発運転状態に切り換えることによって、第１熱源側熱交換器２４だけを冷媒の蒸発器として機能させるようになっている。また、高低圧切換機構３０を放熱負荷運転状態に切り換えている。また、第１熱源側流量調節弁２６は、開度調節され、第２熱源側流量調節弁２７は、閉状態になっており、レシーバ入口開閉弁２８ｃは、開状態になっている。さらに、ここでは、冷媒の放熱器として機能する利用側熱交換器５２が存在する運転であるため、ガス抜き側流量調節弁４２は、利用側流量調節弁５１の制御状況に応じて開度調節されて、レシーバガス抜き管４１を通じてレシーバ２８からガス冷媒を圧縮機２１の吸入側に抜き出すようになっている。
【００９８】
暖房運転を行っている利用側ユニット１２０ａ、１２０ｂに対応する切換ユニット７０ａ、７０ｂにおいては、第１電動弁Ｅｖ１が全閉とされるともに、第２電動弁Ｅｖ２が全開とされる。また、暖房運転を行っている利用側ユニット１２０ａ、１２０ｂでは、利用側流量調節弁５１が全開とされる。
【００９９】
冷房運転を行っている利用側ユニット１２０ｐに対応する切換ユニット７０ｐにおいては、第１電動弁Ｅｖ１が全開とされるとともに、第２電動弁Ｅｖ２が最小開度とされ、第３電動弁Ｅｖ３が適切な開度で開けられる。また、冷房運転を行っている利用側ユニット１２０ｐでは、利用側流量調節弁５１が適切な開度で開けられる。
【０１００】
これにより、利用側ユニット１２０ａ、１２０ｂの利用側熱交換器５２が冷媒の放熱器として機能する。また、利用側ユニット１２０ｐの利用側熱交換器５２と熱源側ユニット２の圧縮機２１の吸入側とが低圧ガス冷媒連絡管９を介して接続された状態になり、かつ、利用側ユニット１２０ｐの利用側熱交換器５２と熱源側ユニット２の圧縮機２１の吐出側とが高低圧ガス冷媒連絡管８を介して接続された状態になっている。冷房運転を行う利用側ユニット１２０ｐにおいては、利用側流量調節弁５１は、開度調節される。暖房運転を行う利用側ユニット１２０ａ、１２０ｂにおいては、利用側流量調節弁５１は、利用側熱交換器５２の出口における冷媒の過冷却度ＳＣに基づいて開度を制御する過冷却度制御によって、開度調節されている。
【０１０１】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。また、圧縮機２１で圧縮され吐出された高圧のガス冷媒は、冷媒加熱器４４にも送られる。ここで、ガス抜き側流量調節弁４２が開状態に開度調節されている場合には、レシーバガス抜き管４１を通じてレシーバ２８からガス冷媒が抜き出されるため、冷媒加熱器４４に送られた高圧のガス冷媒は、レシーバガス抜き管４１を流れる冷媒と熱交換を行うことによって冷却される。一方、レシーバガス抜き管４１を流れるガス冷媒は、加熱されて、圧縮機２１の吸入側に戻される。そして、冷媒加熱器４４において冷却された冷媒は、予冷熱交換器３５に送られる。予冷熱交換器３５に送られた高圧の冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。
【０１０２】
そして、高低圧ガス冷媒連絡管８に送られた高圧のガス冷媒は、分岐されて、各切換ユニット７０ａ、７０ｂの第７配管Ｐ７に送られる。第７配管Ｐ７に送られた高圧のガス冷媒は、第６配管Ｐ６及び第３配管Ｐ３を流れて、ガス管ＧＰに流入する。ガス管ＧＰに流入した冷媒は、利用側ユニット１２０ａ、１２０ｂに到達し、利用側熱交換器５２に流入して凝縮する。これにより、利用側ユニット１２０ａ、１２０ｂの暖房運転が行われる。凝縮した冷媒は、液管ＬＰを経て、切換ユニット７０ａ、７０ｂの第２配管Ｐ２に流入する。第２配管Ｐ２に流入した冷媒は、第１配管Ｐ１等を経て、切換ユニット７０ａ、７０ｂを流れ出る。切換ユニット７０ａ、７０ｂを流れ出た冷媒は、液冷媒連絡管７に送られて合流する。
【０１０３】
液冷媒連絡管７において合流した冷媒は、その一部が、切換ユニット７０ｐの第１配管Ｐ１に送られ、残りが、液側閉鎖弁３１、入口逆止弁２９ｂ及びレシーバ入口開閉弁２８ｃを通じて、レシーバ２８に送られる。
【０１０４】
そして、切換ユニット７０ｐの第１配管Ｐ１に送られた冷媒は、過冷却熱交換部５９の第１流路５９１を通過し、第２配管Ｐ２及び液管ＬＰを経て、利用側ユニット１２０ｐに到達する。
【０１０５】
利用側ユニット１２０ｐに到達した冷媒は、利用側流量調節弁５１に流入して減圧される。減圧された冷媒は、利用側熱交換器５２に流入して蒸発する。これにより、利用側ユニット１２０ｐの冷房運転が行われる。蒸発した冷媒は、ガス管ＧＰを経て、切換ユニット７０ｐに到達して、第３配管Ｐ３に流入する。第３配管Ｐ３に流入した冷媒は、第５配管Ｐ５を流れて低圧ガス冷媒連絡管９に送られる。
【０１０６】
また、切換ユニット７０ｐの第１配管Ｐ１に流入した冷媒の一部は、第１０配管Ｐ１０に流入する。第１０配管Ｐ１０に流入した冷媒は、第３電動弁Ｅｖ３及び第９配管Ｐ９を経て、過冷却熱交換部５９の第２流路５９２に流入する。第２流路５９２に流入した冷媒は、第２流路５９２を通過する際、第１流路５９１を通過する冷媒と熱交換を行い、第１流路５９１を通過する冷媒を冷却する。これにより、第１流路５９１から利用側ユニット１２０ｐへと流れていく冷媒は、過冷却がついた状態となる。第２流路５９２を通過した冷媒は、第８配管Ｐ８及び第５配管Ｐ５を経て、低圧ガス冷媒連絡管９に流れる。
【０１０７】
そして、低圧ガス冷媒連絡管９に送られた低圧のガス冷媒は、低圧ガス側閉鎖弁３３を通じて、圧縮機２１の吸入側に戻される。
【０１０８】
また、ここで、ガス抜き側流量調節弁４２が開状態に開度調節されている場合には、レシーバ２８に送られた冷媒は、レシーバ２８内に一時的に溜められて気液分離された後、ガス冷媒は、レシーバガス抜き管４１を通じて圧縮機２１の吸入側に抜き出され、液冷媒は、レシーバ出口管２８ｂに送られる。レシーバ出口管２８ｂに送られた冷媒は、その一部が吸入戻し管４６に分岐され、その後、冷媒冷却器３６を通過した冷媒と合流して過冷却熱交換器４５に送られる。過冷却熱交換器４５に送られたレシーバ出口管２８ｂを流れる冷媒は、吸入戻し管４６の吸入戻し側流量調節弁４７において流量調節された冷媒によって冷却される。過冷却熱交換器４５において冷却されてレシーバ出口管２８ｂを流れる冷媒は、出口逆止弁２９ｄを通じて、第１熱源側流量調節弁２６に送られる。そして、第１熱源側流量調節弁２６に送られた冷媒は、第１熱源側流量調節弁２６において流量調節された後、第１熱源側熱交換器２４において、室外ファン３４によって供給される室外空気と熱交換を行うことによって蒸発して低圧のガス冷媒になり、第１熱交換器切換機構２２に送られる。そして、第１熱交換器切換機構２２に送られた低圧のガス冷媒は、低圧ガス冷媒連絡管９及び低圧ガス側閉鎖弁３３を通じて圧縮機２１の吸入側に戻される低圧のガス冷媒と合流して、圧縮機２１の吸入側に戻される。
【０１０９】
このようにして、冷暖同時運転（放熱負荷主体）における動作が行われる。なお、暖房運転を行う利用側ユニット（冷媒の放熱器として機能する利用側熱交換器）の数が少なくなる等によって、利用側熱交換器５２全体の放熱負荷が小さくなる場合には、第２熱源側熱交換器２５を冷媒の放熱器として機能させることで、第１熱源側熱交換器２４の蒸発負荷と第２熱源側熱交換器２５との放熱負荷とを相殺して熱源側熱交換器２４、２５全体の蒸発負荷を小さくする運転が行われる。
【０１１０】
（３）いずれかの利用側ユニットで冷媒漏洩を検知したときの空気調和装置の制御
次に、いずれかの利用側ユニット１２０における冷媒漏洩を冷媒漏洩検知部６０が検知したときの制御について説明する。どの利用側ユニット１２０で冷媒漏洩があっても同様の制御を行うため、ここでは、第１利用側ユニット１２０ａが設置される室内（第１利用側空間Ｓａ１）への冷媒漏洩が検知された場合を例にとって、図４を参照して説明する。なお、以下の冷媒漏洩時の制御は、熱源側制御部２０、利用側制御部１２２及び切換ユニット制御部７２によって行われる。
【０１１１】
図４のステップＳ１では、第１利用側ユニット１２０ａに設置された第１冷媒漏洩検知部６０ａが第１利用側ユニット１２０ａ内の冷媒が設置空間（第１利用側空間Ｓａ１）に漏洩しているか否かを判断する。そして、冷媒漏洩していると判断されると、ステップＳ２に移行する。
【０１１２】
ステップＳ２では、冷媒漏洩があった第１利用側ユニット１２０ａにおいて、ブザーなどの警報器（図示せず）を使って、第１利用側ユニット１２０ａの設置空間（第１利用側空間Ｓａ１）に居る人に警報を発する。
【０１１３】
次に、ステップＳ３では、冷媒漏洩があった第１利用側ユニット１２０ａが、冷房運転（第３運転）を行っているか暖房運転（第１運転）を行っているかを判断する。第１利用側ユニット１２０ａが冷房運転（第３運転）を行っている場合には、ステップＳ４をスキップし、ステップＳ５に移行する。第１利用側ユニット１２０ａが暖房運転（第１運転）を行っている場合、あるいは、第１利用側ユニット１２０ａが冷房も暖房も行っていない停止又は一時停止の状態であるときには、ステップＳ３からステップＳ４に移行する。
【０１１４】
ステップＳ４では、第１利用側ユニット１２０ａの冷媒の圧力を低下させるために、第１利用側ユニット１２０ａに冷房運転（第３運転）を行わせる。但し、このステップＳ４での冷房運転は、通常の冷房運転とは異なり、第１利用側ユニット１２０ａの冷媒の圧力を低下させることを優先させる運転である。第１利用側ユニット１２０ａに対応する第１切換ユニット７０ａにおいて、第１電動弁Ｅｖ１が全開とされるともに、第２電動弁Ｅｖ２が最小開度とされる。これにより、第１利用側ユニット１２０ａを流れる冷媒が液管ＬＰからガス管ＧＰに向かって流れ、冷媒が利用側熱交換器５２において蒸発する。また、ガス管ＧＰは、第１切換ユニット７０ａの全開の第１電動弁Ｅｖ１及び低圧ガス冷媒連絡管９を介して、熱源側ユニット２の圧縮機２１の吸入側と接続された状態となる。これにより、第１利用側ユニット１２０ａの冷媒の圧力が急速に低下していく。このとき、第１利用側ユニット１２０ａの利用側流量調節弁５１の開度は、圧縮機２１に液冷媒が吸入されない程度に調整される。
【０１１５】
ステップＳ５では、冷房運転（第３運転）の状態の第１利用側ユニット１２０ａに対して、熱源側ユニット２から液冷媒連絡管７を介して高圧の冷媒が送られている場合には、熱源側ユニット２の熱源側流量調節弁２６、２７の開度が絞られる（小さくなる）。言い換えると、熱源側ユニット２の熱源側流量調節弁２６、２７における冷媒の減圧度合いを大きくする。これにより、液冷媒連絡管７を介して第１利用側ユニット１２０ａに流れてくる冷媒の圧力が低下する。その結果、第１切換ユニット７０ａの冷媒の圧力の低下が加速される。
【０１１６】
また、ステップＳ５では、上記の冷暖同時運転（放熱負荷主体）のときのように、冷房運転（第３運転）の状態の第１利用側ユニット１２０ａに対して、熱源側ユニット２からではなく、他の利用側ユニット１２０から液冷媒連絡管７を介して高圧の冷媒が送られている場合には、他の利用側ユニット１２０の利用側流量調節弁５１の開度が絞られる（小さくなる）。言い換えると、他の利用側ユニット１２０の利用側流量調節弁５１における冷媒の減圧度合いを大きくする。これにより、液冷媒連絡管７を介して第１利用側ユニット１２０ａに流れてくる冷媒の圧力が低下する。その結果、第１切換ユニット７０ａの冷媒の圧力の低下が加速される。
【０１１７】
なお、ステップＳ４において、冷媒漏洩があった第１利用側ユニット１２０ａが冷媒漏洩検知前まで暖房運転（第１運転）を行っていた場合にも、第１利用側ユニット１２０ａに冷房運転（第３運転）を行わせるが、他の利用側ユニット１２０の運転はそのまま継続させる。例えば、冷媒漏洩検知前まで、上記（２−４）で示したように、第１利用側ユニット１２０ａが暖房運転（第１運転）を行い第２利用側ユニット１２０ｂが暖房運転（第２運転）を行っていた場合、冷媒漏洩検知に伴って第１利用側ユニット１２０ａは冷房運転（第３運転）に切り換わるが、第２利用側ユニット１２０ｂの暖房運転（第２運転）は継続される。また、冷媒漏洩検知前まで、上記（２−３）で示したように、第１利用側ユニット１２０ａが暖房運転（第１運転）を行い第２利用側ユニット１２０ｂが冷房運転（第４運転）を行っていた場合、冷媒漏洩検知に伴って第１利用側ユニット１２０ａは冷房運転（第３運転）に切り換わるが、第２利用側ユニット１２０ｂの冷房運転（第４運転）は継続される。
【０１１８】
ステップＳ６では、ステップＳ５によって第１利用側ユニット１２０ａの冷媒の圧力を低下させ始めてから所定時間が経過したか否か、あるいは、第１利用側ユニット１２０ａの冷媒の圧力が大気圧近くまで低下したか否か、を判断する。ステップＳ６で、いずれかの条件が満たされている場合には、ステップＳ７に移行する。ステップＳ６で、いずれの条件も満たされていない場合、第１利用側ユニット１２０ａの冷媒の圧力を低下させる冷房運転（第３運転）を継続する。なお、第１利用側ユニット１２０ａの冷媒の圧力が大気圧近くまで低下したか否かの判断は、第１利用側ユニット１２０ａに冷媒圧力センサがあれば、そのセンサ値を使って判断することができ、第１利用側ユニット１２０ａに冷媒温度センサがあれば、そのセンサ値を使って判断することができる。
【０１１９】
ステップＳ７では、熱源側ユニット２と第１利用側ユニット１２０ａとを遮断することができる弁を閉める。具体的には、第１利用側ユニット１２０ａに対応する第１切換ユニット７０ａにおいて、第１電動弁Ｅｖ１と、第２電動弁Ｅｖ２と、冷媒漏洩が生じていないときには常に開状態である電磁弁Ｓｖ１と、の３つの弁を閉める。これによって、第１利用側ユニット１２０ａと、熱源側ユニット２及び他の利用側ユニット１２０とが切り離された状態となり、第１利用側ユニット１２０ａへの冷媒の流入がなくなる。
【０１２０】
以上の図４に示す制御フローによって、冷媒漏洩検知の前後で冷媒回路１０における冷媒の流れがどのように変わるのか、理解の容易のために図面を参照して説明する。
【０１２１】
（３−１）冷暖同時運転（蒸発負荷主体）時
まず、冷暖同時運転（蒸発負荷主体）時について、図５Ａ、図５Ｂ、図６Ａ及び図６Ｂを用いて説明する。
【０１２２】
図５Ａ及び図６Ａは、冷暖同時運転（蒸発負荷主体）時の熱源側ユニット２、利用側ユニット１２０及び切換ユニット７０における冷媒の流れを示す図である。ここでは、第１利用側ユニット１２０ａ及び第２利用側ユニット１２０ｂが暖房運転を行っており、他の多くの利用側ユニット１２０が冷房運転を行っているため、蒸発負荷主体の冷暖同時運転となっている。なお、図５Ａ及び図６Ａに示す冷暖同時運転（蒸発負荷主体）は、上記の（２−３）で説明した冷暖同時運転（蒸発負荷主体）と異なる。前者では、第２利用側ユニット１２０ｂが冷房運転を行っており、後者では、第２利用側ユニット１２０ｂが暖房運転を行っているが、いずれも利用側ユニット１２０全体として蒸発負荷が主体となっている。
【０１２３】
図５Ｂ及び図６Ｂは、冷暖同時運転（蒸発負荷主体）時に第１利用側ユニット１２０ａで冷媒漏洩が検知されたことに伴い、第１利用側ユニット１２０ａが暖房運転（第１運転）ではなく冷房運転（第３運転）を行うように切り換えた後の、熱源側ユニット２、利用側ユニット１２０及び切換ユニット７０における冷媒の流れを示す図である。
【０１２４】
上記のステップＳ４の実行前の図６Ａでは、第１利用側ユニット１２０ａの利用側熱交換器５２で冷媒が放熱する暖房運転（第１運転）が行われているのに対し、冷媒漏洩検知後にステップＳ４が実行された後の図６Ｂでは、第１利用側ユニット１２０ａの利用側熱交換器５２で冷媒が蒸発する冷房運転（第３運転）が行われる。ステップＳ４の実行によって変わった冷媒の流れ方向を、図６Ｂにおいて黒塗りの矢印で示す。この結果、第１利用側ユニット１２０ａの冷媒が圧縮機２１の吸入側に引かれていき、第１利用側ユニット１２０ａの冷媒の圧力が低下していく。
【０１２５】
また、上記のステップＳ４の実行前の図５Ａにおける熱源側ユニット２の熱源側流量調節弁２６の開度に比べて、ステップＳ４の実行後の図５Ｂにおける熱源側ユニット２の熱源側流量調節弁２６の開度は小さくなる。これにより、図５Ｂにおいて黒塗りの矢印で示すように、冷媒漏洩検知前の図５Ａの状態に比べて、熱源側ユニット２から液冷媒連絡管７を介して利用側ユニット１２０に送られる冷媒の量や圧力が低下する。したがって、第１利用側ユニット１２０ａにおいても、さらに冷媒の圧力が低下する。
【０１２６】
なお、ここでは、熱源側ユニット２の熱源側流量調節弁２７を閉めているので熱源側流量調節弁２７の開度について言及していないが、図５Ａにおいて熱源側流量調節弁２７の開度も調整している場合には、ステップＳ４の実行後の図５Ｂでは熱源側流量調節弁２７の開度を小さくする。
【０１２７】
また、図６Ａ、図６Ｂに示すように、第１利用側ユニット１２０ａ及び第１切換ユニット７０ａ以外の他の利用側ユニット１２０及び切換ユニット７０については、冷媒漏洩検知後も、それまでの運転が維持され、例えば第２利用側ユニット１２０ｂでは暖房運転（第２運転）が維持される。
【０１２８】
（３−２）冷暖同時運転（放熱負荷主体）時
次に、冷暖同時運転（放熱負荷主体）時について、図７、図８Ａ及び図８Ｂを用いて説明する。
【０１２９】
図７及び図８Ａは、冷暖同時運転（放熱負荷主体）時の熱源側ユニット２、利用側ユニット１２０及び切換ユニット７０における冷媒の流れを示す図である。ここでは、第１利用側ユニット１２０ａ及び第２利用側ユニット１２０ｂが暖房運転を行っており、暖房運転を行っている利用側ユニット１２０が冷房運転を行っている利用側ユニット１２０よりも多いため、放熱負荷主体の冷暖同時運転となっている。
【０１３０】
図７及び図８Ｂは、冷暖同時運転（蒸発負荷主体）時に第１利用側ユニット１２０ａで冷媒漏洩が検知されたことに伴い、第１利用側ユニット１２０ａが暖房運転（第１運転）ではなく冷房運転（第３運転）を行うように切り換えた後の、熱源側ユニット２、利用側ユニット１２０及び切換ユニット７０における冷媒の流れを示す図である。なお、切り換えの前後において、熱源側ユニット２における冷媒の流れは変わらないため、いずれにおいても図７を用いている。
【０１３１】
上記のステップＳ４の実行前の図８Ａでは、第１利用側ユニット１２０ａの利用側熱交換器５２で冷媒が放熱する暖房運転（第１運転）が行われているのに対し、冷媒漏洩検知後にステップＳ４が実行された後の図８Ｂでは、第１利用側ユニット１２０ａの利用側熱交換器５２で冷媒が蒸発する冷房運転（第３運転）が行われる。ステップＳ４の実行によって変わった冷媒の流れ方向を、図８Ｂにおいて黒塗りの矢印で示す。この結果、第１利用側ユニット１２０ａの冷媒が圧縮機２１の吸入側に引かれていき、第１利用側ユニット１２０ａの冷媒の圧力が低下していく。
【０１３２】
なお、図８Ａ、図８Ｂに示すように、第１利用側ユニット１２０ａ及び第１切換ユニット７０ａ以外の他の利用側ユニット１２０及び切換ユニット７０については、冷媒漏洩検知後も、それまでの運転が維持され、例えば第２利用側ユニット１２０ｂでは暖房運転（第２運転）が維持される。
【０１３３】
（４）特徴
（４−１）
空気調和装置１は、第１利用側ユニット１２０ａと、第２利用側ユニット１２０ｂと、熱源側ユニット２と、第１切換ユニット７０ａと、第２切換ユニット７０ｂと、第１冷媒漏洩検知部６０ａとを備える。また、空気調和装置１は、熱源側制御部２０、利用側制御部１２２及び切換ユニット制御部７２から成る制御部を備える。第１切換ユニット７０ａは、第１運転と、第３運転とを切り換える。第１運転は、第１利用側ユニット１２０ａを流れる冷媒が放熱する運転（いわゆる暖房運転）である。第３運転は、第１利用側ユニット１２０ａを流れる冷媒が蒸発する運転（いわゆる冷房運転）である。第２切換ユニット７０ｂは、第２運転と、第４運転とを切り換える。第２運転は、第２利用側ユニット１２０ｂを流れる冷媒が放熱する運転（いわゆる暖房運転）である。第４運転は、第２利用側ユニット１２０ｂを流れる冷媒が蒸発する運転（いわゆる冷房運転）である。第１冷媒漏洩検知部６０ａは、第１利用側ユニット１２０ａが設置される第１利用側空間Ｓａへの冷媒の漏洩を検知する。制御部は、第１利用側ユニット１２０ａが第１運転を行い第２利用側ユニット１２０ｂが第２運転を行っているときに、第１冷媒漏洩検知部６０ａが第１利用側空間Ｓａへの冷媒の漏洩を検知すると、第１運転を第３運転に切り換え、第２運転は継続させる。
【０１３４】
ここでは、第１利用側空間Ｓａへの冷媒の漏洩が検知されたときに、第１利用側ユニット１２０ａを流れる冷媒が放熱する第１運転を、第１利用側ユニット１２０ａを流れる冷媒が蒸発する第３運転に切り換える。これにより、第１利用側ユニット１２０ａを流れる冷媒の圧力が小さくなり、第１利用側空間Ｓａへの冷媒の漏洩の速度が低下する。一方、第２利用側ユニット１２０ｂを流れる冷媒が放熱する運転である第２運転は、第１利用側空間Ｓａへの冷媒の漏洩が検知されたときにも継続される。このため、第２利用側ユニット１２０ｂにおける冷媒の放熱が続き、第２利用側ユニット１２０ｂが設置される空間における暖房作用が維持される。
【０１３５】
（４−２）
空気調和装置１では、上記（３−１）で説明したように、第１冷媒漏洩検知部６０ａが第１利用側空間Ｓａへの冷媒の漏洩を検知すると、制御部が、熱源側流量調節弁２６、２７における冷媒の減圧度合いを大きくして、第１利用側ユニット１２０ａへと流れていく冷媒の圧力を下げる。
【０１３６】
ここでは、第１利用側空間Ｓａへの冷媒の漏洩が検知されたときに、熱源側ユニット２から第１利用側ユニット１２０ａへと流れる冷媒の圧力が、熱源側流量調節弁２６、２７によって下げられる。これにより、第１利用側空間Ｓａへの冷媒の漏洩の速度を、早期に低下させることができている。
【０１３７】
（４−３）
空気調和装置１では、第１利用側ユニット１２０ａが第１運転を行い第２利用側ユニット１２０ｂが第２運転を行っているときに、制御部は、第１冷媒漏洩検知部６０ａが第１利用側空間Ｓａへの冷媒の漏洩を検知すると、第１運転を第３運転に切り換え、第２運転は継続させ、第２利用側ユニット１２０ｂを出た冷媒を、熱源側ユニット２を経由させずに第１利用側ユニット１２０ａに流す。より具体的に説明すると、上記の（３−２）の冷暖同時運転（放熱負荷主体）のときには、第１利用側ユニット１２０ａが第１運転（暖房運転）を行い第２利用側ユニット１２０ｂが第２運転（暖房運転）を行っている。このとき、熱源側ユニット２においては、第１熱交換器切換機構２２を蒸発運転状態に切り換えることによって、第１熱源側熱交換器２４だけを冷媒の蒸発器として機能させるようになっている。ここで、第１利用側空間Ｓａへの冷媒の漏洩が検知されると、第１運転が第３運転に切り換わり、第１利用側ユニット１２０ａを流れる冷媒の圧力が下がる。このときも、熱源側ユニット２においては、第１熱源側熱交換器２４が冷媒の蒸発器として機能しており、この第１熱源側熱交換器２４に対しても第１利用側ユニット１２０ａに対しても、液冷媒連絡管７を介して他の利用側ユニット１２０から冷媒が供給される。
【０１３８】
したがって、空気調和装置１では、冷暖同時運転を行っているときに、第１冷媒漏洩検知部６０ａが第１利用側空間Ｓａへの冷媒の漏洩を検知した場合には、第１利用側ユニット１２０ａの第１運転を第３運転に切り換えるだけで、他の利用側ユニット１２０も熱源側ユニット２も運転を切り換えていない。このような制御を行っているため、第１利用側空間Ｓａへの冷媒の漏洩を検知したときにも、冷媒回路１０における冷媒の流れが大きく乱れることがなく、第１利用側ユニット１２０ａの冷媒の圧力を安定的に下げることができる。また、第２利用側ユニット１２０ｂにおける暖房運転も維持することができる。
【０１３９】
（４−４）
空気調和装置１では、第１利用側ユニット１２０ａが第１運転（暖房運転）を行い第２利用側ユニット１２０ｂが第４運転（冷房運転）を行っているときに、第１冷媒漏洩検知部６０ａが第１利用側空間Ｓａへの冷媒の漏洩を検知すると、制御部は、第１運転を第３運転（冷房運転）に切り換え、第４運転（冷房運転）は継続させる。
【０１４０】
ここでは、熱源側ユニット２あるいは他の利用側ユニット１２０のいずれかの熱交換器が冷媒の放熱器として機能しているときには、第１利用側空間Ｓａへの冷媒の漏洩が検知されて第１利用側ユニット１２０ａが第３運転に切り換わっても、第２利用側ユニット１２０ｂにおける冷房運転が継続できる。
【０１４１】
（４−５）
空気調和装置１では、第１冷媒漏洩検知部６０ａが第１利用側空間Ｓａへの冷媒の漏洩を検知すると、制御部は、第１運転を第３運転に切り換え、その後、遮断弁として機能する第１切換ユニット７０ａの第１電動弁Ｅｖ１、第２電動弁Ｅｖ２及び電磁弁Ｓｖ１を閉める。これらの３つの弁を閉状態にすることで、第１利用側ユニット１２０ａの利用側冷媒回路ＲＣ２が、空気調和装置１の他の冷媒回路１０から分離される。
【０１４２】
ここでは、第１利用側ユニット１２０ａを流れる冷媒の圧力が小さくなり、第１利用側空間Ｓａへの冷媒の漏洩の速度が低下した後、第１利用側ユニット１２０ａの利用側冷媒回路ＲＣ２が、空気調和装置１の他の冷媒回路１０から分離される。これにより、第１利用側ユニット１２０ａへの冷媒の流入が遮断され、その後しばらく経つと、第１利用側空間Ｓａへの冷媒の漏洩が続かなくなって、第１利用側空間Ｓａにおける冷媒濃度が上がることがなくなる。
【０１４３】
（４−６）
空気調和装置１では、第１利用側空間Ｓａへの冷媒の漏洩の検知に伴い、第１運転を第３運転に切り換えると、所定時間経過後、或いは、第１利用側ユニットの冷媒の圧力が低下したことに関する所定条件を満たしてから、第１利用側ユニット１２０ａの利用側冷媒回路ＲＣ２を、空気調和装置１の他の冷媒回路１０から分離している。これにより、まだ第１利用側ユニット１２０ａの冷媒の圧力が高い状態で第１切換ユニット７０ａの３つの弁Ｅｖ１、Ｅｖ２、Ｓｖ１が閉まって、第１利用側ユニット１２０ａの冷媒の圧力が下がらなくなるという不具合、を回避することができている。
【０１４４】
（５）変形例
（５−１）変形例１Ａ
上記実施形態の空気調和装置１のステップＳ５において、さらに、バイパス配管としての吸入戻し管４６を使って、より多くの圧縮機２１の吐出側の高圧冷媒を、圧縮機２１の吸入側の吸入配管２１ｂに戻すように制御し、第１利用側ユニット１２０ａを流れる冷媒の圧力を早く低下させることも可能である。運転状況によるが、第１利用側空間Ｓａへの冷媒の漏洩を検知したときに、熱源側ユニット２のレシーバ出口管２８ｂを流れる高圧冷媒を、バイパス流量調節弁としての吸入戻し側流量調節弁４７の開度を大きくすることによって、より多く圧縮機２１の吸入側の吸入配管２１ｂに戻せば、熱源側ユニット２から利用側ユニット１２０へと流れていく冷媒の量が減る。これにより、第１利用側ユニット１２０ａを流れる冷媒の圧力の低下速度を上げることができる。
【０１４５】
例えば、冷媒漏洩検知後の図５Ｂの熱源側ユニット２の運転状況において、バイパス流量調節弁としての吸入戻し側流量調節弁４７の開度をさらに大きくすれば、液冷媒連絡管７を介して利用側ユニット１２０へと流れる冷媒の量が減り、第１利用側ユニット１２０ａを流れる冷媒の圧力を早期に下げることができる。
【０１４６】
（５−２）変形例１Ｂ
上記実施形態の空気調和装置１では、冷媒としてＲ３２を用いているが、Ｒ３２、Ｒ１２３４ｙｆ、Ｒ１２３４ｚｅ若しくはＲ７４４の単一冷媒または該冷媒を含む混合冷媒が用いられる場合は、上記の（３）の冷媒漏洩を検知したときの空気調和装置の制御が特に有効に機能する。
【０１４７】
なお、上記Ｒ３２はジフルオロメタン（ＨＦＣ−３２）であり、Ｒ１２３４ｙｆは２，３，３，３−テトラフルオロ−１−プロペン（ＨＦＯ−１２３４ｙｆ）であり、Ｒ１２３４ｚｅは１，３，３，３−テトラフルオロ−１−プロペン（ＨＦＯ−１２３４ｚｅ）であり、Ｒ７４４は二酸化炭素である。
【０１４８】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１４９】
１    空気調和装置（冷媒サイクル装置）
２    熱源側ユニット
２０    熱源側制御部（制御部）
２１    圧縮機
２１ｂ  吸入配管
２４    第１熱源側熱交換器
２５    第２熱源側熱交換器
２６    第１熱源側流量調節弁（熱源側膨張機構）
２７    第２熱源側流量調節弁（熱源側膨張機構）
２８ｂ  レシーバ出口管（高圧冷媒配管）
４６    吸入戻し管（バイパス配管）
４７    吸入戻し側流量調節弁（バイパス流量調節弁）
６０    冷媒漏洩検知部
６０ａ  第１冷媒漏洩検知部
７０    切換ユニット
７０ａ  第１切換ユニット（第１切換部）
７０ｂ  第２切換ユニット（第２切換部）
７２    切換ユニット制御部（制御部）
１２０    利用側ユニット
１２０ａ  第１利用側ユニット
１２０ｂ  第２利用側ユニット
１２２    利用側制御部（制御部）
Ｅｖ１  第１電動弁（第１遮断弁）
Ｅｖ２  第２電動弁（第１遮断弁）
Ｓｖ１  電磁弁（第１遮断弁）
Ｓａ    第１利用側空間
【先行技術文献】
【特許文献】
【０１５０】
【特許文献１】特開２０１３−１７８０７５号公報
【図１】
2020122647.tif 000003
【図２】
2020122647.tif 000004
【図３】
2020122647.tif 000005
【図４】
2020122647.tif 000006
【図５Ａ】
2020122647.tif 000007
【図５Ｂ】
2020122647.tif 000008
【図６Ａ】
2020122647.tif 000009
【図６Ｂ】
2020122647.tif 000010
【図７】
2020122647.tif 000011
【図８Ａ】
2020122647.tif 000012
【図８Ｂ】
2020122647.tif 000013